(57)【要約】【課題】    郵便又は宅配で送られた定形外封筒を返信用として再度利用することのできる、返信用封筒部を複数有する定形外封筒を提供することである。【解決手段】    定形外封筒の表面部は通常表示されている社内封筒として、使用している社名等の情報のみで返信用封筒部が具備されている事がわからない表面部であり、受取人は裏面部の返信用郵便情報表示部の情報２７のみで返信用封筒を返信することができる返信用封筒部を複数有する定形外封筒を提供。【選択図】    図２
2006341922.tif 000002
【特許請求の範囲】
【請求項１】
定形外封筒で互いに対向する表面部と裏面部からなり、前記表面部に設けられた封緘部と前記表面部と裏面部とから形成され、前記封緘部と対向する底部とを有する定形外封筒において、前記裏面部は、前記定形外封筒の封緘部の一辺から近い平行な横方向の切り取り線又は、底部の一辺から近い平行な横方向の切り取り線で、前記定形外封筒を二区分以上で区分して、封緘部及び、底部どちらからでも返信用封筒部を形成することが出来る返信用封筒部を具備することを特徴とする返信用封筒部を有する定形外封筒。
【請求項２】
前記定形外封筒の左右両端部と平行な縦方向の切り取り線又は、封緘部より底部に向かい下方より上方に巾が狭くなる切り取り線又は、底部から封緘部に向かい下方より上方に巾が狭くなる切り取り線が設けられており、これら切り取り線及び、定型若しくは、定形外の寸法にするための二つ折りの目印の折り線又は折り筋とからなることを特徴とする請求項１記載の返信用封筒部を有する定形外封筒。
【請求項３】
前記切り取り線より、切り取り分離して、二つ折りにすることにより返信用封筒が形成されることを特徴とする請求項１記載の返信用封筒部を有する定形外封筒。
【請求項４】
前記表面部において切り取り線又は、折り筋及び、二つ折り等の返信用封筒を形成する表示記入がないことを特徴とする請求項１記載の返信用封筒部を有する定形外封筒。
【請求項５】
前記定形外封筒の開封、封緘方法は封緘部で開封し、再び封緘し、又底部で開封し、再び封緘する。前記どちらからでも、開封、封緘することができることを特徴とする請求項１記載の返信用封筒部を有する定形外封筒。
【発明の詳細な説明】
【技術分野】
【０００１】本発明は色々なアンケート用紙、文書、商品の申込用紙などの送信をして、返信が必要になる返信用封筒、特に定形外封筒に返信用封筒部を有する定形外封筒に関するものである。
【背景技術】
【０００２】従来、企業からのアンケート用紙、調査用紙、商品情報誌等は、定形外封筒を使用して、郵送又は、宅配等で行われている。【０００３】しかしながら、一度使用した封筒は返信用として、使用されることがなく、送信用封筒の中に、返信専用封筒を同封して、送信返信が行われている。
【発明の開示】
【発明が解決しようとする課題】
【０００４】本発明の一つの目的は郵送、宅配された定形外封筒を、再度利用して往復できる返信用封筒部を有する、定形外封筒を提供することである。【０００５】本発明の他の目的は定形外封筒の同一平面上に送信と返信の郵便情報等を記載することのない返信用封筒部を有する定形外封筒を提供することである。
【課題を解決するための手段】
【０００６】定形外封筒の表面部は通常表示されている社内封筒として使用している社名等の情報のみで返信用封筒部が具備されている事がわからない表面部である。受取人は裏面部の情報により切り取り分離することにより、郵送、宅配された商品の申込、あるいはアンケート用紙等を返信する際、返信用封筒を用意することなく返信物を封入、封緘するのみで返信用封筒を返信することが出来、前記定形外封筒を有効に再利用することによって、資源の保護にもなる。
【発明の効果】
【０００７】本発明によれば、定形外封筒の裏面部を二区分若しくは三区分して、その中心部に返信用郵便情報を設け、その上部封緘部の一辺から返信用封筒部と前記下部に底部の一辺から返信用封筒部が予め、設けられているので、郵送又は宅配された定形外封筒から前記返信用封筒部を切り取り分離することにより返信用封筒が出来、郵送又は宅配等で送られたアンケート用紙、又は申込用紙等を返信する際、新たに返信用封筒を用意することなく、封入、封緘するのみで返信用郵便情報表示部にある返信用情報で返信封筒を返信することが出来前記定形外封筒を有効に再利用することが出来、資源の保護にもなる。
【発明を実施するための最良の形態】
【０００８】図を参照して本発明の実施例を図面に基づき説明する。
図１は封緘部２１及び底部２２を有する定形外の定形外封筒２０の表面部を示し、前記定形外封筒２０は差出入表示部２３と送信人宛先等を記入する部分２４で構成されている通常一般的に使用されている定形外封筒の表面部である。【０００９】図２は前記定形外封筒の封緘後の裏面部を示し、前記定形外封筒を二区分若しくは、三区分する中央部分に返信用郵便情報表示部２７を有し、その上部に封緘部の一辺から返信用封筒部２９と前記返信用郵便情報表示部２７、その下部に底部の一辺から返信用封筒部３０を有している。【００１０】図３は前記裏面部の封緘部の一辺から返信用封筒部２９を切り取り線２６で切り取り分離し、前記定形外封筒の左右両端部と平行な縦方向の切り取り線２６又は封緘部から底部に向かい下方より上方に巾が狭くなる切り取り線２６で切り取り、二つ折り線、又は二つ折り筋２５で折り曲げる前の返信用封筒部２９を形成する。【００１１】図４は図３の返信用郵便情報表示部２７と封緘部の一辺からの返信用封筒部２９の中心にある二つ折り線又は、二つ折り筋２５で二つ折りにして、切り取り線２６の内側と、左右両端部の切り取り線２６の内側の三ヶ所に糊等を塗布して返信用封筒３１を形成する。【００１２】図５は前記裏面部の底部の一辺から返信用封筒部３０を切り取り線２６′で切り取り分離し、前記定形外封筒の左右両端部と平行な縦方向の切り取り線２６又は底部から封緘部に向かい下方より上方に巾が狭くなる切り取り線２６で切り取り、二つ折り線又は二つ折り筋２５′で折り曲げる前の返信用封筒部３０を形成する。【００１３】図６は図５の返信用郵便情報表示部２７と底部の一辺からの返信用封筒部３０の中心にある、二つ折り線又は二つ折り筋２５′で二つ折りにして、切り取り線２６′の内側と前記左右両端部の切り取り線２６の内側の三ヶ所に糊等を塗布して返信用封筒３１を形成する。【００１４】前記定形外封筒２０を用いて、郵送又は、宅配された受取人は開封して、返信の必要に応じて、前記切り取り線２６、又前記切り取り線２６′に沿って切り取り、前記定形外封筒２０から、前記返信用封筒部２９及び、前記返信用封筒部３０のどちらか一方を分離して使用し、又、他の一方に切手を貼り使用することもできる。【００１５】前記返信用封筒部を分離した後、必要とする一方を、前記裏面部の切り取り線２６及び２６′に対向する前記表面部を切り取り、定形又は、定形外の返信用封筒が得られる。【００１６】前記受取人は必要とする定形又は、定形外の返信用封筒で返信することが出来る。
又、前記返信用封筒部に予め、返信用郵便情報を印刷して送信する返信用封筒部を有する定形外封筒のため、前記受取人はあて先を記入する必要がない。又、返信用郵便情報を印刷しないで使用する場合は受取人が切手を貼り住所等を記入して返信することになるが、前記定形外封筒は通常市販されている封筒と同様な為、一般小売ができる定形外封筒である。【００１７】前記定形外封筒を郵送又は、宅配で送信する事を述べてきたが、前記定形外封筒を企業等を訪問したとき、パンフレット、申込用紙、アンケート等を同封して、手渡しで相手方に渡し、前記返信用封筒の使用説明等も行い、是非返信をしてもらうよう依頼でき、返信率も高くなる事が考えられる。【００１８】前記定形外封筒の封緘部は開封して、再び封緘できる封緘方法である。【００１９】前記返信用郵便情報表示部２７と対向する宛先表示部２４に宅配伝票等を貼って送信した場合、前記受取人は返信用郵便情報表示部２７と返信封筒部の中心にある、二つ折り線又は、二つ折り筋で二つ折りにして、宅配伝票を覆い隠して返信することも出来る。
【図面の簡単な説明】
【図１】  本発明の実施形態による定形外封筒の表面部の平面図である。
【図２】  本発明の実施形態による定形外封筒の裏面部の平面図である。
【図３】  本発明の実施形態による定形外封筒から返信封筒部を分離した平面図である。
【図４】  本発明の実施形態による返信用封筒の平面図である。
【図５】  本発明の実施形態による定形外封筒から返信封筒部を分離した平面図である。
【図６】  本発明の実施形態による返信用封筒の平面図である。
【符号の説明】
２０          定形外封筒
２１          封緘部及び開封部
２３          差出人表示部
２４          宛先表示部
２５、２５′  折り線又は折り筋
２６、２６′  切り取り線
２７          返信用郵便情報表示部
２８          底部開封部及び封緘部
２９          封緘部の一辺からの返信用封筒部
３０          底部の辺からの返信用封筒部
３１          返信用封筒
【図１】
2006341922.tif 000003
【図２】
2006341922.tif 000004
【図３】
2006341922.tif 000005
【図４】
2006341922.tif 000006
【図５】
2006341922.tif 000007
【図６】
2006341922.tif 000008